(57)【要約】  マイターボックスは、切断されるべき要素の断面に適合される形状を有する貫通開口を第１の方向に含む。【選択図】  図２
2016525955.tif 000002
【特許請求の範囲】
【請求項１】
切断されるべき要素の断面に適合される形状を有する貫通開口を第１の方向に備える、マイターボックス。
【請求項２】
前記貫通開口が、閉じた輪郭を有する、請求項１に記載のマイターボックス。
【請求項３】
略直方体の形状を有する、請求項１に記載のマイターボックス。
【請求項４】
前記貫通開口が、２つの側面に現れている、請求項１に記載のマイターボックス。
【請求項５】
前記貫通開口を完全に横断する切断線を画定する少なくとも１つのスロットを備える、請求項１に記載のマイターボックス。
【請求項６】
前記第１の方向と垂直な平面を辿る第１のスロットと、前記第１の方向とプラス４５度及びマイナス４５度のそれぞれの角度を形成する平面を辿る２つのスロットとを備える、請求項５に記載のマイターボックス。
【請求項７】
前記平面が、前記マイターボックスの体積内で互いに交差していない、請求項６に記載のマイターボックス。
【請求項８】
１つ又は複数の前記スロットが、少なくとも上面、前面、及び後面に現れている、請求項５に記載のマイターボックス。
【請求項９】
１つ又は複数の前記スロットが止まる基部を更に備える、請求項５に記載のマイターボックス。
【請求項１０】
角度切断のための位置決めを支援するための、ほぼ垂直な少なくとも１つの突出するリブを表面に備える、請求項５に記載のマイターボックス。
【請求項１１】
前記貫通開口が、非凸状の形状を有する、請求項１に記載のマイターボックス。
【発明の詳細な説明】
【背景技術】
【０００１】
本開示は、概して、建築の分野、より具体的には、ベースボード又はセクションタイプの仕上げ要素のためのツールの分野に関する。本開示は、より具体的には、マイターボックスに関する。
【０００２】
特に木製の当て木又はベースボードを、固定された又は調節可能な角度で、鋸切断するためのマイターボックスは、既知である。かかるマイターボックスの使用は、オペレータが、手動で、又は切断されるべき要素を保持するためのクランプを用いて、マイターボックスの１つ又は２つの表面に対して切断されるべき要素を維持しなければならないため、あまり好都合ではない。更に、ベースボードが薄い、又はその断面が非凸状である、即ち、セクションの輪郭が、この輪郭上の少なくとも１つの対の点に関して、点を接合する線が断面内に完全に含まれないという特性を有する場合、それは、破壊する危険性がある。
【発明の概要】
【発明が解決しようとする課題】
【０００３】
既知のマイターボックスの不利点の全て又は一部を克服するマイターボックスの必要性が存在する。
【課題を解決するための手段】
【０００４】
前述の全て又は一部を達成するために、本発明は、切断されるべき要素の断面に適合される形状を有する貫通開口を第１の方向に備える、マイターボックスを提供する。一実施形態によると、貫通開口は、閉じた輪郭を有し得る。別の実施形態によると、マイターボックスは、略直方体の形状を有し得る。別の実施形態によると、貫通開口は、２つの側面に現れ得る。別の実施形態によると、マイターボックスは、貫通開口を完全に横断する切断線を画定する少なくとも１つのスロットを備え得る。別の実施形態によると、マイターボックスは、第１の方向と垂直な平面を辿る第１のスロットと、第１の方向とプラス４５度及びマイナス４５度のそれぞれの角度を形成する平面を辿る２つのスロットとを備え得る。一実施形態において、平面は、マイターボックスの体積内で互いに交差していない。別の実施形態によると、１つ又は複数のスロットは、少なくとも上面、前面、及び後面に現れ得る。別の実施形態によると、マイターボックスは、１つ又は複数のスロットが止まる基部を更に備え得る。別の実施形態によると、角度切断のための位置決めを支援するための、ほぼ垂直な少なくとも１つの突出するリブを表面に備え得る。
【０００５】
本発明のある実施形態の利点は、異なる剛性の領域を有する要素の切断に適合されるマイターボックスを提供すること、非凸状の断面を有する要素の切断に適合されること、及び使用しやすいことを含む。
【図面の簡単な説明】
【０００６】
本開示の実施形態の前述及び他の特性並びに利点は、添付の図面と併せて、特定の実施形態の以下の非限定的な説明において詳細に述べられる。
【０００７】
【図１】本発明の実施形態に従う、マイターボックスの斜視図である。
【図２】ベースボード切断位置における図１のマイターボックスの実施形態の簡略化された斜視図である。
【図３Ａ】図１のマイターボックスの前面図である。
【図３Ｂ】図１のマイターボックスの後面図である。
【図４】図１のマイターボックスの側面図である。
【図５Ａ】マイターボックスの使用例を例示する。
【図５Ｂ】マイターボックスの使用例を例示する。
【図５Ｃ】マイターボックスの使用例を例示する。
【図５Ｄ】マイターボックスの使用例を例示する。
【図５Ｅ】マイターボックスの使用例を例示する。
【発明を実施するための形態】
【０００８】
図面において、同様の参照番号は、いくつかの図面を通して、同様の又は対応する部分を指す。明確性のために、説明される実施形態の理解に有用であるそれらの工程及び要素のみが、図示され、詳細に述べられる。具体的には、マイターボックスによって切断されることが可能な、形状化された要素、例えば、ベースボードの形成は、詳細には述べられていないが、説明される実施形態は、一般的なベースボード及び他の形状化された要素と互換性がある。更に、上、底、前、後、側面などのような位置及び配向の指標は、別途指定されない限り、通常使用の位置において、マイターボックスを任意に考慮することによって使用される。更に、別途指定されない限り、正確な寸法及び位置は、製造及び位置決め公差内で与えられる。おおよその寸法及び位置は、正確な寸法及び位置の１０％内で提供される。
【０００９】
ここで図面を参照すると、図１は、マイターボックス１の実施形態の斜視図であり、図２は、切断されるべき形状化された要素９を伴う、図１のマイターボックスの斜視図であり、図３Ａ及び３Ｂは、図１のマイターボックスの前面図及び後面図であり、図４は、図１のマイターボックスの側面図である。
【００１０】
ボックス１は、切断線を画定するスロット２２、２４、及び２６を除き、閉じた外部形状を有する断面を有用な部分に有する。換言すると、マイターボックス１は、閉じた外観を有する、つまり、通常のマイターボックスとは異なり、マイターボックス１は、切断されるべき要素を取り付けるために使用されるその開放表面を有するＵ形状のセクションを備えない。ボックス１は、切断されるべき要素の断面に依存する一般形状を有する。例示される実施例において、ボックス１は、好ましくは、略直方体の形状を有する。
【００１１】
図面において例示されるように、ボックス１は、その長さに沿って、貫通陥凹３、又はボックスの２つの側面若しくは端面１２に現れている貫通開口を備える。貫通開口３の形状は、切断されるべき要素９の断面に依存する。換言すると、切断されるべき要素９は、その側面１２のうちの一方からボックス１の中へ挿入されること、及び切断されるべき長さに従って、ボックス１の他方の側面１２から再び現れることが意図される。
【００１２】
切断スロットの数は、所望の切断オプションに依存するが、ボックスは、少なくとも１つのスロットを備える。例示される実施形態において、３つのスロットが、それぞれ、直線切断（スロット２２）、及び＋／−４５度での２つの切断（スロット２４及び２６）を実施するように提供される。この場合、スロット２２は、好ましくは、スロット２４及び２６の中間にあり、これは、好ましくは、図５Ａ〜５Ｅに関して以降で見られるように、ボックスの後角部の近くに現れて、使用を容易にする。
【００１３】
スロット２２、２４、及び２６は、鋸の刃又はカッターの刃等の切断ツールの通過のために意図され、ボックス１の上面１４から基部４まで延在する。スロットが、それぞれ、貫通開口３の方向に垂直、及びプラス又はマイナス４５度の垂直平面を辿ることが好ましい。それらは、ボックスの少なくとも３つの表面（上面１４並びに前面及び後面１６及び１８）に現れている。ボックスが基部によって延在される例示される実施形態において、スロットは、この基部４のレベルで止まる。
【００１４】
その後面１８上では、ボックス１は、後面１８から突出する、２つの垂直リブ４４及び４６（スロット２２、２４、及び２６の平面に平行）を有する。リブ４４又は４６と最も近い表面１２との間の距離は、貫通開口３２と後側１８との間の距離にほぼ対応する。リブ４４の位置は、後面１８上のスロット２４の突起のほぼ中間である。リブ４６の位置は、後面１８上のスロット２６の突起のほぼ中間である。リブ４４及び４６は、図５Ａ〜５Ｅに関して以降で見られるように、角度切断のために、所望の距離での切断を得るように、マイターボックスを適所に配置するために使用される。このため、理想的には、リブ４４及び４６の位置は、切断が完全に位置付けられるように選択される。
【００１５】
例示される実施形態において、基部４は、ボックス１の残りのものを上回る水平寸法を有する。これは、ボックス１に安定性を与え、その使用を容易にする。代替的に、基部４は、ボックスの残りと同じ水平断面を有してもよい。実際、基部の機能は、スロットがそこで止まることである。好ましくは、リブ４４及び４６の存在下で、ボックスの後部での基部の深さは、これらのリブが、基部４のレベルでも突出したままであるように、リブ４４及び４６の深さよりも低いままである。
【００１６】
貫通開口３は、閉じた輪郭を有する。その形状は、切断されるべき形状化された要素の断面に対応するように選択される。例示される実施例（図２）において、形状化された要素は、例えば、仕上げコーティング９４で被覆される発泡体で作製される本体９２から形成される、本出願人の文書第ＦＲ−Ａ−２９７５４１８号において説明されるタイプのベースボード９であり、これは、例えば、熱成形され、かつ断面において、その上部分で本体９２から突出する。この実施例において、コーティング９４の上部分は湾曲し、発泡体本体に向かって方向付けられる曲率半径を有する。このため、陥凹３は、ベースボードの下部分の断面に対応する長方形の断面を有する下部分３２（図４）、及びその上部分において、ベースボードのコーティング９４のより高い部分の断面に対応する丸みを帯びた形状３４を備える。
【００１７】
陥凹の形状を、切断されるべき形状化された要素の断面に適合させることは、いくつかの利点を有する。一方では、これは、切断されるべき要素が全てのその表面上で維持されるため、ボックスにおけるその要素の保持を容易にする。このため、切断はより正確である。他方では、形状化された要素の破壊又は変形の危険性を伴うことなく、非凸状の形状を伴う断面を有する形状化された要素を切断することが可能になる。更に、異なる剛性の領域を有する形状化された要素は、形状化された要素を悪化させる危険性を伴うことなく、切断することができる。
【００１８】
図５Ａ、５Ｂ、５Ｃ、５Ｄ、及び５Ｅは、マイターボックスの使用例を例示する。ベースボード９は、ある角度を含む壁Ｗに対して取り付けられることが想定され、これは、例えば、外部である。第１のベースボードセクション９１は、壁（図５Ａ）に対して配置されるが、角部Ｃまでには行かないことが想定される。ベースボード９の第２のセクション９２は、先の図面において例示されるタイプのボックスに係合され、次いで、位置付けられ（図５Ｂ）、そのため、セクション９２の遊離（直線）端部が、セクション９１の遊離端部に対して当たる。基部４の高さにより、２つのセクションは、ここで完全に整合されないが、これは、切断に対して悪影響を及ぼすものではない。図５Ｃにおいて例示されるように、ボックスは、リブ４６（この実施例において）が壁の角部にぶつかって止まるまで、スライドされる。このリブは、切断線の位置が、角度に対して正確に位置付けられることを可能にする。例示される実施例は、切断ツールとして使用されるカッターＴ（図５Ｄ）を用いて切断可能なベースボードを想定する。次いで、セクション９２は、スロット２６を使用することによって、適所で適切な長さで切断される。セクションが切断されると、ボックスは除去され、壁Ｗに固定される（例えば、糊付けされる）準備が整ったセクション９２が得られる。
【００１９】
図５Ａ〜５Ｅにおいて例示される使用形態は、マイターボックスの最大数の利点及びオプションの利益を享受する。しかしながら、ボックスはまた、セクションに対して所望される長さを測定することによって、及びそれを適所に置くことなく要素を切断することによって、使用されてもよい。
【００２０】
マイターボックスは、好ましくは、プラスチック成形によって得られる。しかしながら、任意の他の適合された材料（木材、金属など）が好適であり得る。
【００２１】
貫通開口３の寸法は、好ましくは、わずかなクリアランスを伴って、形状化された要素を内部に自由に挿入することができるように、選択される。クリアランスが大きくなるほど、形状化された要素が通過することはより容易になるが、特に、発泡体タイプの圧縮性材料に関しては、切断がより正確ではなくなる。クリアランスが小さくなるほど、切断はより正確になるが、切断されるべき形状化された要素の導入はより容易ではなくなる。妥協は、形状化された要素、及び、特に、それが形成される１つ又は複数の材料に依存する。
【００２２】
種々の実施形態が説明されてきた。種々の改変及び修正が、当業者には着想されるであろう。具体的には、実施形態は、上で言及される文書第ＦＲ−Ａ−２９７５４１８号において説明されるタイプのベースボードの切断のために意図される実施例に関して説明されているが、貫通開口は、切断されるべき形状化された要素の断面に適合される任意の他の形状を有してもよい。更に、ボックスのサイズ（幅、高さ、深さ）は、切断されるべき要素の断面、及び所望のスロットの数に適合される。
【図１】
2016525955.tif 000003
【図２】
2016525955.tif 000004
【図３Ａ】
2016525955.tif 000005
【図３Ｂ】
2016525955.tif 000006
【図４】
2016525955.tif 000007
【図５Ａ】
2016525955.tif 000008
【図５Ｂ】
2016525955.tif 000009
【図５Ｃ】
2016525955.tif 000010
【図５Ｄ】
2016525955.tif 000011
【図５Ｅ】
2016525955.tif 000012
【国際調査報告】
2016525955.tif 000013
2016525955.tif 000014
2016525955.tif 000015